(57)【要約】【課題】  室外へ排出される熱が少なく、室内温度上昇の速い暖房換気乾燥装置を提供する。【解決手段】  第１の室内吸気口１２５から第１の送風通路１４０内に吸気された室内の空気は、吸着再生熱交換器１１５で第２の送風通路１４１を流れる空気に熱を受け渡し、除湿ロータ１１１で除湿され、再生循環熱交換器１１４及び循環用放熱器１１７で熱を受け取って暖められて吐出口１２６から再び室内に吹き出す。一方、室外吸気口１２７から第２の送風通路１４１内に吸気された外気は、吸着再生熱交換器１１５で第１の送風通路１４０を流れる空気から熱を受け取って暖められ、再生用放熱器１１８でさらに暖められ、除湿ロータ１１１に吸着した湿気を蒸発させて除湿ロータ１１１を再生し、循環用放熱器１１７で第１の送風通路１４０を流れる空気に熱を受け渡して冷却されて、排気口１２８から室外に排気される。【選択図】      図６
2006207875.tif 000002
【特許請求の範囲】
【請求項１】
室内の暖房と除湿を行うことのできる暖房乾燥装置であって、
室内の空気を循環させるための循環路と、
室外の空気を通過させるための排湿路と、
除湿部材が前記循環路と前記排湿路との間を移動できるように循環路と再生路に跨って配置された除湿器と、
前記循環路内において前記除湿器の風下側に配置された循環用放熱器と、
前記排湿路内において前記除湿器の風上側に配置された再生用放熱器と、
前記循環路内において前記除湿器及び前記循環用放熱器の中間を流れる空気と、前記排湿路において前記除湿器よりも風下側を流れる空気との間で熱交換を行わせるための第１の熱交換器を設けたことを特徴とする暖房乾燥装置。
【請求項２】
前記循環路内において前記除湿器よりも風上側を流れる空気と、前記排湿路内において前記再生用放熱器よりも風上側を流れる空気との間で熱交換を行わせるための第２の熱交換器を設けたことを特徴とする、請求項１に記載の暖房乾燥装置。
【請求項３】
前記排湿路に前記第２の熱交換器を迂回するバイパス風路を設け、前記排湿路に流れる空気の流れを前記バイパス風路側と前記第２の熱交換器側とに切り替えるための風路切り替え手段を設けたことを特徴とする、請求項２に記載の暖房乾燥装置。
【請求項４】
前記除湿器は、前記除湿部材を回転させることによって除湿部材を前記循環路と前記排湿路との間で移動可能にしたものであることを特徴とする、請求項１、２又は３に記載の暖房乾燥装置。
【請求項５】
請求項３に記載の暖房乾燥装置の制御方法であって、
前記循環路に室内の空気を循環させると共に前記排湿路に室外の空気を通過させて室内の空気の除湿と前記除湿部材の再生とを行なうモードにおいては、
該モード開始直後には、前記バイパス風路を通って前記排湿路に室外の空気が流れるようにし、
室内の空気が所定温度以上に達した後では、前記第２の熱交換器を通過して前記排湿路に室外の空気が流れるようにすることを特徴とする暖房乾燥装置の制御方法。
【発明の詳細な説明】
【技術分野】
【０００１】
本発明は、暖房乾燥装置に関し、特に除湿ロータを用いた暖房乾燥装置及びその制御方法に関する。
【背景技術】
【０００２】
浴室の天井や壁などに設置し、温風を吹き出すことによって浴室内を暖房したり、その下に吊した衣類などに温風を吹き付けて乾燥させたりするための暖房乾燥装置が従来より用いられている。このような暖房乾燥装置においては、衣類の乾燥により蒸発した水分を換気により室内から室外へと排出している。この時、室内の暖かい空気も室外に流れ出るので室内の温度上昇が妨げられ、衣類乾燥時間が長くなってしまうことがある。
【０００３】
さらに、吸着剤で湿気を吸着させる除湿器などを用いた装置では、室内温度の上昇に伴い吸着剤の吸着量が減少するという問題があった。
【０００４】
【特許文献１】特開２００３−２９４２６７号公報
【特許文献２】特開平１１−３０４３５号公報
【発明の開示】
【発明が解決しようとする課題】
【０００５】
本発明は上記のような技術的課題に鑑みてなされたものであり、その目的とするところは、換気により室外へ排出される熱が少なく、室内温度上昇の速い暖房乾燥装置を提供することにある。
【課題を解決するための手段】
【０００６】
本発明の請求項１に記載の暖房乾燥装置は、室内の暖房と除湿を行うことのできる暖房乾燥装置であって、室内の空気を循環させるための循環路と、室外の空気を通過させるための排湿路と、除湿部材が前記循環路と前記排湿路との間を移動できるように循環路と再生路に跨って配置された除湿器と、前記循環路内において前記除湿器の風下側に配置された循環用放熱器と、前記排湿路内において前記除湿器の風上側に配置された再生用放熱器と、前記循環路内において前記除湿器及び前記循環用放熱器の中間を流れる空気と、前記排湿路において前記除湿器よりも風下側を流れる空気との間で熱交換を行わせるための第１の熱交換器を設けたことを特徴としている。
【０００７】
本発明の請求項１に記載の暖房乾燥装置にあっては、循環路内の除湿器の風下側に循環用放熱器が配置されているので、循環路内においては室内の空気が除湿器を通過することによって除湿され、ついで循環用放熱器を通過することによって加熱され、温風となって室内に吹き出される。しかも、循環路内の室内の空気は、循環用放熱器で加熱される前の低温の状態で除湿器を通過させられるので、除湿器の除湿機能が低下しにくくなっている。また、排湿路内においては除湿器の風上側に再生用放熱器を配置しているので、再生用放熱器で加熱された室外の空気を除湿器に当てて除湿器の除湿部材を乾燥させて再生することができ、除湿器から排出された湿気を室外へ排出することができる。
【０００８】
さらに、この暖房乾燥装置にあっては、除湿器を用いて循環路側で室内の空気の除湿を行ない、排湿路側で除湿器から湿気を放出させて室外へ排出させているので、換気によって湿気を室外へ排出する従来例のように除湿によって室内温度が低下しにくい。しかも、循環路内において除湿器及び循環用放熱器の中間を流れる空気と、排湿路において除湿器よりも風下側を流れる空気との間で熱交換を行わせるための第１の熱交換器を設けているので、第１の熱交換器により、再生用放熱器で加熱された室外の空気から循環路内の室内の空気に熱を移動させることができ、室内に吹き出される温風の温度を高めることができる。よって、本発明によれば、室内の除湿を行ないつつも、室内温度を速やかに上昇させることができる。
【０００９】
請求項２に記載の実施態様は、請求項１に記載の暖房乾燥装置において、前記循環路内において前記除湿器よりも風上側を流れる空気と、前記排湿路内において前記再生用放熱器よりも風上側を流れる空気との間で熱交換を行わせるための第２の熱交換器を設けたことを特徴としている。除湿器を通過する室内の空気の温度が高くなると除湿器の除湿機能は低下するが、この実施態様によれば、室内の空気の温度が室外温度よりも高い場合には、第２の熱交換器により、循環路内の室内の空気から排湿路内の室外の空気へ熱を移動させて循環路内の空気の温度を下げることができる。よって、室内温度が高い場合でも、除湿器による除湿機能の低下を緩和することができる。
【００１０】
請求項３に記載の実施態様は、請求項２に記載の暖房乾燥装置において、前記排湿路に前記第２の熱交換器を迂回するバイパス風路を設け、前記排湿路に流れる空気の流れを前記バイパス風路側と前記第２の熱交換器側とに切り替えるための風路切り替え手段を設けたことを特徴としている。請求項２の暖房乾燥装置では、除湿器を通過する室内の空気の温度が室外温度よりも低い場合に、第２の熱交換器により室外の空気から循環路内の室内の空気へ熱移動が起きると、除湿器による除湿機能が低下する恐れがある。しかし、請求項３の実施態様によれば、このような場合には、第２の熱交換器を迂回するバイパス風路を通るように排湿路を切り替えておけば、第２の熱交換器を通じて室外空気の熱が循環路に流れ込むのを防ぐことができる。
【００１１】
請求項４に記載の実施態様は、請求項１、２又は３に記載の暖房乾燥装置において、前記除湿器は、前記除湿部材を回転させることによって除湿部材を前記循環路と前記排湿路との間で移動可能にしたものであることを特徴としている。かかる実施態様によれば、除湿器として除湿部材を回転させるタイプのものを用いているので、除湿器をコンパクトにすることができ、暖房乾燥装置の小型化を図ることができる。また、循環路と排湿路との間で除湿部材を移動させるための機構も簡単にできる。
【００１２】
請求項５に記載の暖房乾燥装置の制御方法は請求項３に記載の暖房乾燥装置を制御するための方法であって、前記循環路に室内の空気を循環させると共に前記排湿路に室外の空気を通過させて室内の空気の除湿と前記除湿部材の再生とを行なうモードにおいては、該モード開始直後には、前記バイパス風路を通って前記排湿路に室外の空気が流れるようにし、室内の空気が所定温度以上に達した後では、前記第２の熱交換器を通過して前記排湿路に室外の空気が流れるようにすることを特徴としている。
【００１３】
請求項５に記載の暖房乾燥装置の制御方法にあっては、モード開始直後の室温が低い状態では、排湿路を流れる室外の空気は第２の熱交換器を流れないので、循環路を流れる室内の空気が室外の空気で暖められることがなく、除湿器の除湿能力の低下を防止することができる。一方、室内の温度が所定温度以上（例えば外気よりも高い温度）に達した後では、第２の熱交換器において排湿路の室外の空気と循環路を流れる室内の空気の間で熱交換が行なわれ、排湿路を流れる空気が暖められて除湿器の再生効率を高めることができると共に、循環路内で除湿器を通過する室内の空気の温度を下げて除湿器の除湿能力の低下を防止することができる。
【発明を実施するための最良の形態】
【００１４】
以下、本発明の実施例を図面に従って詳細に説明する。ただし、本発明は以下の実施例に限定されるものでないことは勿論である。
【実施例１】
【００１５】
図１は、実施例１の暖房乾燥装置１０１を上方から見た断面図である。また、図２は図１のＸ−Ｘ’断面図、図３は図１のＹ−Ｙ’断面図である。暖房乾燥装置１０１は浴室の天井に設置されており、図１〜図３に示すように、除湿ロータ１１１と、第１の室内吸気口１２５から吸気された室内の空気が除湿ロータ１１１の上部片側を通過して吐出口１２６から室内に吹き出す第１の送風通路１４０（循環路）と、室外吸気口１２７から吸気した室外の空気が除湿ロータ１１１の下部片側を通過して排気口１２８から再び室外に排気される第２の送風通路１４１（排湿路）と、第２の室内吸気口１２９から吸気した室内の空気を排気口１２８から室外に排気する第３の送風通路１４２で構成されている。
【００１６】
第１の送風通路１４０には、第１の室内吸気口１２５側から順番に吸着再生熱交換器１１５（第２の熱交換器）、除湿ロータ１１１の上部片側、循環送風機１１２、再生循環熱交換器１１４（第１の熱交換器）、循環用放熱器１１７が配置されている。特に図示しないが、循環送風機１１２は、循環送風機モータと接続されている。この循環送風機モータの駆動により第１の室内吸気口１２５から室内の空気を吸気し吐出口１２６から吹き出すようになっている。
【００１７】
また、第２の送風通路１４１には、室外吸気口１２７側から順番に吸着再生熱交換器１１５、再生用放熱器１１８、除湿ロータ１１１の下部片側、再生循環熱交換器１１４、再生換気送風機１１３が配置されている。また、吸着再生熱交換器１１５を通過せずに室外から再生用放熱器１１８へ空気を送ることができるようにするため、室外吸気口１２７及び吸着再生熱交換器１１５と仕切板１３０で仕切られたバイパス風路１４３が設けられている。さらに、仕切板１３０には第１のダンパ１２１（風路切り替え手段）が回動自在に設けられており、この第１のダンパ１２１によって室外吸気口１２７とバイパス風路１４３のどちらか一方に空気が流れるように切り替えられるようになっている。この再生換気送風機１１３の駆動により室外吸気口１２７から吸気した室外の空気を排気口１２８から室外へ排気するようになっている。さらに、第１の送風通路１４０と第２の送風通路１４１とを貫通するようにして吸着再生熱交換器１１５と再生循環熱交換器１１４が設けられていて、両送風通路１４０、１４１で吸着再生熱交換器１１５と再生循環熱交換器１１４を共有しており、第１及び第２の送風通路１４０、１４１を通過する空気の間で熱交換を行なえるようにしている。
【００１８】
第３の送風通路１４２は、第２の送風通路１４１に配置された再生循環熱交換器１１４と再生換気送風機１１３の中間と第２の室内吸気口１２９とを接続している。また、第２の送風通路１４１と第３の送風通路１４２の接続部には、第２のダンパ１２２が回動自在に設置されており、この第２のダンパ１２２の向きを反転させることによって排気口１２８の連通元を室外吸気口１２７と第２の室内吸気口１２９のうちいずれか一方に切り替えている。なお、第２のダンパ１２２により第２の送風通路１４１側を閉止し、第３の送風通路１４２側を開成している状態では、再生換気送風機１１３の駆動により第２の室内吸気口１２９から吸気した室内の空気を排気口１２８から室外（特に、屋外）へ排気するようになっている。
【００１９】
また、循環用放熱器１１７と再生用放熱器１１８は直列に配置されており、再生用放熱器１１８の方が熱媒が供給される上流側に設置されている。さらに、再生用放熱器１１８に熱媒を供給せず循環用放熱器１１７のみに熱媒を供給するためのバイパス路１２０が再生用放熱器１１８と並列に設けられており、循環用放熱器１１７と再生用放熱器１１８の間に設けた三方弁１１９により、再生用放熱器１１８への熱媒の供給の有無を切り替え可能になっている。
【００２０】
ここで、図４に示すように、除湿ロータ１１１の除湿部材１６は、平坦な基板の表面上に波形に連続して屈曲した部材を接着して構成された矩形長尺部材を円筒状に巻き込んだものであり、かつその平坦な基板及び波形部材の表面には湿気を吸着する機能を持つ固体吸着剤が付着されている。特に吸着剤に用いる材料に制限はないが、湿気を吸着する性質を持つ素材であればよく、例えば、シリカゲル、ゼオライト、活性炭などのように通常水分吸着用途に用いられるものを任意に使用できる。さらに、除湿ロータ１１１の除湿部材１６の円筒形の円周部には、その円周に沿ってギア１２が形成されている。
【００２１】
除湿ロータ１１１は、波形に連続して屈曲した部材を巻き込んだ形状であることから、その円形の端面には波形に連続して屈曲した部材と平坦な部材との隙間によって形成された無数の空気通過孔１１が端面全体に形成されている。なお、図４では、省略して一部の空気通過孔１１のみを図示している。また、各空気通過孔１１の和は、十分な断面積を有し、且つその長さ方向（円筒形の厚さ方向）にはそこを通過する空気との大きな接触面積を有する。従って、湿気を含んだ空気は除湿ロータ１１１の空気通過孔１１中をほとんど圧損なしに通過することができ、同時に、除湿ロータ１１１の表面部分に付着された吸着剤により湿気が吸着除去される。また、空気通過孔１１の形状は、上記形状に限らず空気が通過するときの接触面積が大きく、圧損が発生しにくい構造であればよく、例えば、六角形のハニカム構造に形成したもの等でもよい。
【００２２】
除湿ロータ用モーター１１６には、駆動ギア１３が取り付けられており、除湿ロータ１１１に形成されたギア１２と噛み合うような位置に調整されている。したがって、除湿ロータ用モーター１１６の回転駆動により、除湿ロータ１１１も円形面の中心軸１４を中心に円形面内で連続的或いは断続的に回転するようになっている。
【００２３】
また、吸着再生熱交換器１１５及び再生循環熱交換器１１４はいずれも、多数枚の熱伝導部材を積層し、各熱伝導部材間に第１の送風通路１４０を通過する室内の空気が流れる室内空気流路と第２の送風通路１４１を通過する室外の空気が流れる室外空気流路とを交互に形成し、それによって第１の送風通路１４０を流れる室内の空気と第２の送風通路１４１を流れる室外の空気との熱接触面積を大きくし、両送風通路１４０、１４１内の室内の空気と室外の空気とが効率よく熱交換できるようにしたものである。この実施例では、第１の送風通路１４０を通過する室内の空気は、吸着再生熱交換器１１５と再生循環熱交換器１１４とでそれぞれ往復して流れて第１の送風通路１４０に戻るようになっており、第２の送風通路１４１を通過する室外の空気は、吸着再生熱交換器１１５と再生循環熱交換器１１４とでそれぞれ（あるいは再生循環熱交換器１１４のみで）往復して流れて第２の送風通路１４１に戻るようになっている（図７及び図９に示した経路ａ、ｂ及びｄを参照）。あるいは、吸着再生熱交換器１１５及び再生循環熱交換器１１４は、第１の送風通路１４０側と第２の送風通路１４１側との間を空気を透過させるが湿気を透過させない選択的透過膜で仕切っただけのものであってもよい。
【００２４】
以下に、図５〜図１０を用いて、実施例１の暖房乾燥装置１０１の３つ動作モードについて説明する。なお、第１の動作モードを暖房モード、第２の動作モードを乾燥モード、第３の動作モードを換気モードと呼ぶ。また、図５〜図１０には第１〜第３の送風通路１４０、１４１、１４２及びバイパス風路１４３を流れる空気の概略経路をそれぞれａ、ｂ、ｃ、ｄとして二点鎖線の矢印で示した。また、図５、図６、図８及び図１０では、循環用放熱器１１７及び再生用放熱器１１８において熱媒が供給されている箇所を太線で示し、熱媒が供給されていない箇所を細線で示した。
【００２５】
次に、暖房乾燥装置１０１を暖房モードで運転させた場合の動作を図５により説明する。この暖房モードにあっては、循環送風機１１２は回転し、再生換気送風機１１３は停止している。また、除湿ロータ１２３は停止している。さらに、三方弁１１９は再生用放熱器１１８側が閉止しバイパス路１２０側が開成しており、再生用放熱器１１８に熱媒は供給されず、循環用放熱器１１７には熱媒が供給されて加熱されている。
【００２６】
この暖房モードにあっては、第１の室内吸気口１２５から暖房乾燥装置１０１内に吸気された空気は、除湿ロータ１１１が回転を停止しているのでほとんど除湿されず、循環用放熱器１１７を通過する際に暖められて再び室内に吹き出される。つまり、この暖房モードでは、室内の暖房のみが行なわれ、室内の相対湿度が低下する（絶対湿度は変化しない）。
【００２７】
次に、暖房乾燥装置１０１を乾燥モードで運転させた場合の動作を図６〜図９により説明する。図６及び図７は運転開始直後の状態を表わしており、図８及び図９は運転開始後室温が上昇した後の状態を表わしている。乾燥モードの運転開始直後には、図６及び図７に示すように、循環送風機１１２及び再生換気送風機１１３が駆動され、除湿ロータ１１１が回転している。三方弁１１９は再生用放熱器１１８側で開成し、バイパス路１２０側で閉止しており、循環用放熱器１１７及び再生用放熱器１１８に熱媒が流れて両放熱器１１７、１１８で放熱している。また、第１のダンパ１２１は、バイパス風路１４３を開成し室外吸気口１２７を閉止している。第２のダンパ１２２は、第３の送風通路１４２を閉止し第２の送風通路１４１側を開成している。つまり、図６及び図７に示すようにバイパス風路１４３から第２の送風通路１４１内に吸気された室外の空気は経路ｄを流れて排気口１２８から室外へ排出され、また第１の室内吸気口１２５から第３の送風通路１４０内に吸気された室内の空気は経路ａを流れて吐出口１２６から室内へ吹き出される。
【００２８】
この乾燥モードの運転開始直後にあっては、第１の室内吸気口１２５から吸気された室内の空気（経路ａを流れる空気）は除湿ロータ１１１の上部を通過する際に除湿され、循環用放熱器１１７を通過する際に暖められて温風となって室内に吹き出す。また、バイパス風路１４３から吸気された室外の空気（経路ｄを流れる空気）は、再生用放熱器１１８で加熱されて除湿ロータ１１１を通過し、除湿ロータ１１１に吸着した湿気を蒸発させて再生した後、除湿ロータ１１１から蒸発させられた湿気と共に排気口１２８から室外へ排気される。
【００２９】
また、図７に示すように、再生用放熱器１１８で加熱された経路ｄの室外の空気は、再生循環熱交換器１１４内を巡回して流れ、経路ａの室内の空気も再生循環熱交換器１１４内を巡回して流れるので、再生循環熱交換器１１４内において室外の空気と室内の空気とが熱交換し、経路ｄを流れる室外の空気から経路ａを流れる室内の空気に熱が与えられる。すなわち、経路ａを流れる室内の空気は、再生循環熱交換器１１４及び循環用放熱器１１７の双方で加熱される。
【００３０】
よって、第３の送風通路１４０内を流れる室内の空気は、除湿ロータ１１１によって除湿されるが、従来例のように除湿によって熱が室外へ逃げることがない。むしろそれとは反対に、除湿ロータ１１１を再生させるための再生用放熱器１１８の熱を利用して、第３の送風通路１４０内を流れる室内の空気を加熱することができ、効率よく速やかに室内の温度を上昇させることができる。
【００３１】
次いで室温が所定温度以上になると、第１のダンパ１２１を動作させてバイパス風路１４３を閉止し室外吸気口１２７を開成する。この時の所定温度は、外気の温度よりも高い温度に設定する。また、室温は温度センサにより計測してもよく、タイマーで運転開始からの時間を測定することで室温の上昇を予測してもよい。
【００３２】
室内の温度が所定温度以上になって第１のダンパ１２１が切り替えられると、図８及び図９に示すように室外吸気口１２７から第２の送風通路１４１内に吸気された室外の空気は経路ｂを流れる。この状態では、吸着再生熱交換器１１５において経路ａを流れる室内の空気と経路ｂを流れる室外の空気の間で熱交換が行われる。したがって、経路ａを流れる室内の空気は吸着再生熱交換器１１５で冷却されてから除湿ロータ１１１を通過するようになる。経路ａを流れる室内の空気は、吸着再生熱交換器１１５で冷却されて温度が下がっているので、室温の上昇に伴う除湿ロータ１１１表面の吸着剤の吸着能力低下を防止することができ、乾燥運転中安定した除湿能力を得ることができる。一方、経路ｂを流れる室外の空気は吸着再生熱交換器１１５及び再生用放熱器１１８で暖められて除湿ロータ１１１を通過するようになる。したがって、経路ｂを流れる室外の空気は再生用放熱器１１８のみで暖めるよりも効率が良く暖められるので、除湿ロータ１１１の再生能力も向上する。
【００３３】
また、除湿ロータ１１１を通過後は、乾燥モード運転開始直後と同様に再生循環熱交換器１１４において経路ａの室内の空気と経路ｂを流れる室外の空気の間で熱交換がおこなわれ、経路ｂを流れる室外の空気から経路ａを流れる室内の空気に熱が移動させられる。よって、吸着再生熱交換器１１５で経路ａの室内の空気から経路ｂの室外の空気に渡された熱は、再生循環熱交換器１１４で経路ｂの室外の空気から経路ａの室内の空気へ回収される。したがって、室外に排気される熱量を減少させることができるので、除湿器１１８による除湿効率を高めると同時に室内温度の上昇速度を高めることができる。
【００３４】
次に、暖房乾燥装置１０１を換気モードで運転させた場合の動作を図１０により説明する。この換気モードにあっては、循環用放熱器１１７及び再生用放熱器１１８に熱媒が供給されず、循環送風機１１２は停止し、除湿ロータ１１１も停止している。そして、再生換気送風機１１３だけが回転している。また、第２のダンパは第３の送風通路１４２側で開成している。この換気モードにあっては、第２の室内吸気口１２９から暖房乾燥装置１０１内へ吸気された室内の空気は、再生換気送風機１１３によって排気口１２８から室外へ排気され、これによって室内の換気が行われる。
【００３５】
以上、本発明の実施例で説明したように、本発明の暖房乾燥装置１０１においては、特に図示しないがリモコン等により３つの運転モードを切り替えることで、使用者の好みと状況に応じた最適な運転モードを選択することができ、室内の暖房、換気、乾燥（除湿）を効率よく行なうことができる。また、再生循環熱交換器１１４及び吸着再生熱交換器１１５を設置することにより、除湿ロータ１１１の再生に用いる外気を効率よく暖め、除湿ロータ１１１を通過する室内の空気の温度を下げることにより吸着剤の除湿能力の低下を防止することができる。さらに、除湿ロータ１１１通過後の外気から熱を室内の空気に戻すことができるので室内の暖房効率が良くなり、衣類などの乾燥時間も短縮することができる。また、室内から外気への排熱量を少なくできるので省エネルギー化も図れる。
【００３６】
なお、上記実施例では、図７及び図９に示した経路ａ、ｂ及びｄのように第１の送風通路１４０を通過する室内の空気は、吸着再生熱交換器１１５及び再生循環熱交換器１１４内を往復して第１の送風通路１４０に戻り、第２の送風通路１４１を通過する室外の空気は、吸着再生熱交換器１１５及び再生循環熱交換器１１４内を往復して第２の送風通路１４１に戻るようにしている。しかし、第１の送風通路１４０と第２の送風通路１４１を交差させておき、吸着再生熱交換器１１５及び再生循環熱交換器１１４はいずれも室内の空気と室外の空気を一方向へ通過させるようにしてもよい。
【００３７】
また、本実施例の乾燥モード運転において、第１のダンパ１２１の切り替えを室内の温度により判断したが、室内の温度と室外の温度の差などで切り替えのタイミングを判断するようにしても良い。
【００３８】
また、循環用放熱器１１７及び再生用放熱器１１８としては、熱媒循環式に代えて電気ヒーターを用いてもよい。
【００３９】
なお、上記実施例においては、浴室に設置する暖房乾燥装置について説明したが、浴室以外の場所に設置する暖房乾燥装置にも適用することができることは勿論である。
【図面の簡単な説明】
【００４０】
【図１】実施例１による暖房乾燥装置の上方から見た断面図である。
【図２】同上のＸ−Ｘ’断面図である。
【図３】図１のＹ−Ｙ’断面図である。
【図４】図１の暖房乾燥装置に用いられている除湿ロータの平面図である。
【図５】暖房モードで運転しているときの動作を説明する図である。
【図６】乾燥モードで運転開始直後の動作を説明する図である。
【図７】同上の状態で上方向から見たときの空気の流れを示した図である。
【図８】乾燥モードで室温が所定温度以上になった後の動作を説明する図である。
【図９】同上の状態で上方向から見たときの空気の流れを示した図である。
【図１０】換気モードで運転しているときの動作を説明する図である。
【符号の説明】
【００４１】
１０１  暖房乾燥装置
１１１  除湿ロータ
１１２  循環用送風機
１１３  再生換気用送風機
１１４  再生循環熱交換器
１１５  吸着再生熱交換器
１１６  除湿ロータ用モーター
１１７  循環用放熱器
１１８  再生用放熱器
１１９  三方弁
１２０  バイパス管
１２１  第１のダンパ
１２２  第２のダンパ
１２５  第１の室内吸気口
１２６  吐出口
１２７  室外吸気口
１２８  排気口
１２９  第２の室内吸気口
１４０  第１の送風通路
１４１  第２の送風通路
１４２  排気通路
１４３  バイパス風路
【図１】
2006207875.tif 000003
【図２】
2006207875.tif 000004
【図３】
2006207875.tif 000005
【図４】
2006207875.tif 000006
【図５】
2006207875.tif 000007
【図６】
2006207875.tif 000008
【図７】
2006207875.tif 000009
【図８】
2006207875.tif 000010
【図９】
2006207875.tif 000011
【図１０】
2006207875.tif 000012